(57)【特許請求の範囲】
【請求項１】
主制御ユニット及びこの主制御ユニットに接続された検知処理ユニットを含む検知処理システムであって、
前記主制御ユニットは、
パスワードを送信する送信手段を備え、
前記検知処理ユニットは、
前記主制御ユニットから送信されるパスワードを受信する受信手段と、
動作プログラム及び紙葉類の検知処理により得られた検知データを記憶する記憶手段と、
前記記憶手段に記憶された前記動作プログラムに基づき前記紙葉類の前記検知処理を行なう検知手段と、
前記主制御ユニットから送信されるパスワードを所定期間内に受信した場合には前記検知手段による検知処理を実行させ、前記主制御ユニットから送信されるパスワードを所定期間内に受信しない場合には前記記憶手段に記憶された前記動作プログラム及び過去の検知データを消去する制御手段と、
を備えたことを特徴とする検知処理システム。
【請求項２】
主制御ユニット及びこの主制御ユニットに接続された着脱可能な検知処理ユニットを含む検知処理システムであって、
前記主制御ユニットは、
電力を供給する電力供給手段と、
パスワードを送信する送信手段と、
を備え、
前記検知処理ユニットは、
前記主制御ユニットから送信されるパスワードを受信する受信手段と、
動作プログラム及び紙葉類の検知処理により得られた検知データを記憶する不揮発性の記憶手段と、
前記記憶手段に記憶された前記動作プログラムに基づき前記紙葉類の前記検知処理を行なう検知手段と、
前記主制御ユニットからの電力供給を受けてから所定時間内に前記主制御ユニットから送信されるパスワードを受信した場合には前記検知手段による検知処理を実行させ、前記主制御ユニットからの電力供給を受けてから所定時間内に前記主制御ユニットから送信されるパスワードを受信しない場合には前記記憶手段に記憶された前記動作プログラム及び過去の検知データを消去する制御手段と、
を備えたことを特徴とする検知処理システム。
【請求項３】
主制御ユニット及びこの主制御ユニットに接続された検知処理ユニットを含む検知処理システムであって、
前記主制御ユニットは、
動作プログラムを記憶する不揮発性の記憶手段と、
前記記憶手段に記憶された動作プログラムを送信する送信手段と、
を備え、
前記検知処理ユニットは、
前記主制御ユニットから送信される動作プログラムを受信する受信手段と、
前記受信手段により受信された動作プログラム及び紙葉類の検知処理により得られた検知データを記憶する揮発性の記憶手段と、
前記記憶手段に記憶された動作プログラムに基づき前記紙葉類の前記検知処理を行なう検知手段と、
所定時間内に前記主制御ユニットから前記動作プログラムを受信しない場合には前記揮発性の記憶手段に記憶された過去の検知データを消去する制御手段と、
を備えたことを特徴とする検知処理システム。
【請求項４】
主制御ユニット及びこの主制御ユニットに接続された着脱可能な検知処理ユニットを含む検知処理システムであって、
前記主制御ユニットは、
電力を供給する電力供給手段と、
動作プログラムを記憶する記憶手段と、
前記記憶手段に記憶された動作プログラムを送信する送信手段と、
を備え、
前記検知処理ユニットは、
前記主制御ユニットからの電力供給の開始に伴い、前記主制御ユニットから送信される動作プログラムを受信する受信手段と、
前記主制御ユニットから電力が供給されている間に限りデータを記憶することが可能なものであって、前記受信手段により受信された動作プログラム及び紙葉類の検知処理により得られた検知データを記憶する揮発性の記憶手段と、
前記記憶手段に記憶された動作プログラムに基づき前記紙葉類の前記検知処理を行なう検知手段と、
前記主制御ユニットからの電力供給を受けてから所定時間内に前記主制御ユニットから前記動作プログラムを受信しない場合には前記揮発性の記憶手段に記憶された過去の検知データを消去する制御手段と、
を備えたことを特徴とする検知処理システム。
【請求項５】
主制御ユニット及びこの主制御ユニットに接続された検知処理ユニットを含む検知処理システムに適用される検知動作制御方法であって、
前記主制御ユニットは、検知処理ユニットに対して所定のタイミングでパスワードを送信し、
前記検知処理ユニットは、前記主制御ユニットから送信されたパスワードを所定期間内に受信した場合には、記憶手段に記憶された動作プログラムに基づく紙葉類の検知処理を実行し、前記主制御ユニットから送信されたパスワードを所定期間内に受信しない場合には、前記記憶手段に記憶された前記動作プログラム及び前記紙葉類の検知処理により得られた検知データを消去する、
ことを特徴とする検知動作制御方法。
【請求項６】
主制御ユニット及びこの主制御ユニットに接続された検知処理ユニットを含む検知処理システムに適用される検知動作制御方法であって、
前記主制御ユニットは、動作プログラムを送信し、
前記検知処理ユニットは、前記主制御ユニットから送信される動作プログラムを受信し揮発性の記憶手段に記憶して、この記憶手段に記憶された動作プログラムに基づく紙葉類の検知処理を実行し、前記紙葉類の前記検知処理により得られた検知データを記憶し、所定時間内に前記主制御ユニットから前記動作プログラムを受信しない場合には前記揮発性の記憶手段に記憶された過去の検知データを消去する、
ことを特徴とする検知動作制御方法。
【発明の詳細な説明】
【技術分野】
【０００１】
本発明は、紙葉類の物理的特性を光学的、磁気的、或いはその他電気的な検知手段を用いて読み取り、この読み取り結果に基づき紙葉類をチェックする紙葉類検知システムに関する。また、本発明は、このような紙葉類検知システムに適用される検知動作制御方法に関する。
【背景技術】
【０００２】
複数の検知手段による検知結果から、紙葉類の種類、方向、良否、汚損度等を判定する技術が知られている（特許文献１参照）。例えば、紙葉類を搬送する搬送路上に検知手段としての各種センサを配置し、これらセンサからの出力信号に基づき、搬送路上を搬送される紙葉類の物理的特性が検知される紙葉類検知システムが知られている。
【特許文献１】特開２００１−２３６５４３
【発明の開示】
【発明が解決しようとする課題】
【０００３】
上記したようなシステムでは、例えば各検知手段がユニット化されており、システムから着脱可能な構成となっている。このため、検知ユニットがシステムから取り外されて（盗難）しまうおそれがあり、これにより本システムの検知技術が漏洩するおそれがあった。つまり、検知ユニットに蓄えられている、処理プログラムや検知データが悪用されるおそれがあった。従来のシステムでは、このような悪用を防止する対策は講じられていない。
【０００４】
本発明の目的は、上記課題を解決するためになされたものであり、安全性に優れた検知処理システム及び検知動作制御方法を提供することにある。
【課題を解決するための手段】
【０００５】
この発明の検知処理システム及び検知動作制御方法は、以下のように構成されている。
【０００６】
（１）この発明の検知処理システムは、主制御ユニット及びこの主制御ユニットに接続された検知処理ユニットを含む検知処理システムであって、前記主制御ユニットは、パスワードを送信する送信手段を備え、前記検知処理ユニットは、前記主制御ユニットから送信されるパスワードを受信する受信手段と、動作プログラムを記憶する記憶手段と、前記記憶手段に記憶された前記動作プログラムに基づき紙葉類の検知処理を行なう検知手段と、前記主制御ユニットから送信されるパスワードを所定期間内に受信した場合には前記検知手段による検知処理を実行させ、前記主制御ユニットから送信されるパスワードを所定期間内に受信しない場合には前記記憶手段に記憶された前記動作プログラムを消去する制御手段とを備えている。
【０００７】
（２）この発明の検知処理システムは、主制御ユニット及びこの主制御ユニットに接続された検知処理ユニットを含む検知処理システムであって、前記主制御ユニットは、動作プログラムを記憶する不揮発性の記憶手段と、前記記憶手段に記憶された動作プログラムを送信する送信手段とを備え、前記検知処理ユニットは、前記主制御ユニットから送信される動作プログラムを受信する受信手段と、前記受信手段により受信された動作プログラムを記憶する揮発性の記憶手段と、前記記憶手段に記憶された動作プログラムに基づき紙葉類の検知処理を行なう検知手段とを備えている。
【０００８】
（３）この発明の検知動作制御方法は、主制御ユニット及びこの主制御ユニットに接続された検知処理ユニットを含む検知処理システムに適用される検知動作制御方法であって、前記主制御ユニットは、検知処理ユニットに対して所定のタイミングでパスワードを送信し、前記検知処理ユニットは、前記主制御ユニットから送信されたパスワードを所定期間内に受信した場合には、記憶手段に記憶された動作プログラムに基づく検知処理を実行し、前記主制御ユニットから送信されたパスワードを所定期間内に受信しない場合には、前記記憶手段に記憶された動作プログラムを消去する。
【０００９】
（４）この発明の検知動作制御方法は、主制御ユニット及びこの主制御ユニットに接続された検知処理ユニットを含む検知処理システムに適用される検知動作制御方法であって、前記主制御ユニットは、動作プログラムを送信し、前記検知処理ユニットは、前記主制御ユニットから送信される動作プログラムを受信し揮発性の記憶手段に記憶して、この記憶手段に記憶された動作プログラムに基づく検知処理を実行する。
【発明の効果】
【００１０】
本発明によれば、安全性に優れた検知処理システム及び検知動作制御方法を提供できる。
【発明を実施するための最良の形態】
【００１１】
以下、図面を参照し、本発明の実施形態について説明する。
【００１２】
図１は、この発明の第１の実施形態に係る紙葉類検知処理システムの概略構成を示す機能ブロック図である。図１に示すように、第１の実施形態に係る紙葉類検知処理システムは、中央演算装置１０、複数の検知処理部２０、これら複数の検知処理部２０に対応して設けられた複数の共有メモリ３０、データバス４１及び４２、電源部５０、電力供給ライン５１、搬送機構６０、及び出力部７０などを備えている。
【００１３】
主制御ユニットに相当する中央演算装置１０は、通信部１１、記憶部１２、演算部１３、及び電力供給部１４などを備えている。各検知処理部２０は、通信部２１、記憶部２２、制御部２３を備えている。記憶部１２及び記憶部２２は、不揮発性の記憶部であり、電力供給が断たれても記憶されたデータは保持され続ける。記憶部１２には、後述するパスワードが記憶される。記憶部２２には、例えば検知処理に必要不可欠な検知処理プログラム（動作プログラム）、及び検知処理により得られる検知データが記憶される。なお、検知処理ユニットはこの検知処理部２０とセンサ部２４で構成されており、この検知処理ユニットはシステム本体から着脱可能な構成であるとする。
【００１４】
この第１の実施形態に係る紙葉類検知処理システムは、搬送路を含む搬送機構６０により次々と搬送される紙葉類８０の物理的特性を各センサ部２４により例えば光学的に検知するシステムである。例えば、あるセンサ２４部は紙葉類８０の厚さを検知するセンサであり、また別のセンサ部２４は紙葉類８０の券種を検知するセンサであり、さらに別のセンサ２４は紙葉類８０の破損等を検知するセンサであり、またさらに別のセンサ２４部は紙葉類８０のサイズを検知するセンサである。
【００１５】
各センサ部２４は、紙葉類の物理的特性に応じて得られたアナログのセンサ出力信号をデジタルのセンサ出力信号に変換し、このデジタルのセンサ出力信号に識別子を付与し、データバス４１へ出力する。各センサ部２４から出力されたデジタルセンサ出力信号は、即ち検知データは、データバス４１を介して所定の検知処理部２０で受信される。各検知処理部２０は、受信した検知データを記憶部２２に記憶し、検知データに基づき検知処理を行なう。各検知処理部２０は、検知処理の終了に伴い、検知処理部２０と中央演算装置１０との共有メモリ３０に検知結果を書き込む。共有メモリ３０に書き込まれた検知結果はデータバス４２を介して中央演算装置１０で収集され、中央演算装置１０（演算部１３）は収集した検知結果を解析して、各種動作を指示する信号を出力部７０へ供給する。
【００１６】
次に、図２を参照して、図１に示す第１の実施形態に係る紙葉類検知処理システムによる検知動作開始時の制御について説明する。図２は、第１の実施形態に係る紙葉類検知処理システムによる検知動作開始時の制御を示すフローチャートである。
【００１７】
まず、電源部５０から中央演算装置１０の電力供給部１４に対して電力の供給が開始されると（ＳＴ１１）、電力供給部１４は検知処理部２０及びセンサ部２４など各部へ電力の供給を開始する（ＳＴ２１、ＹＥＳ）。続いて、電力供給を開始してから所定時間以内に、中央演算装置１０は、通信部１１を介して記憶部１２に記憶されているパスワードを送信する（ＳＴ１２）。中央演算装置１０から送信されたパスワードは、データバス４２、共有メモリ３０を介して、検知処理部２０で受信される（ＳＴ２２、ＹＥＳ）。検知処理部２０（制御部２３）は、受信したパスワードが正しいか否か判断し（ＳＴ２４）、正しいパスワードである場合には（ＳＴ２４、ＹＥＳ）、記憶部２２に記憶された検知処理プログラムに基づく検知処理を開始する（ＳＴ２５）。
【００１８】
検知処理部２０（制御部２３）は、電力の供給を受けてから（ＳＴ２１、ＹＥＳ）、所定時間以内にパスワードを受信しないときには（ＳＴ２２、ＮＯ）タイムオーバーと判断し（ＳＴ２３、ＹＥＳ）、記憶部２２に記憶されている検知処理プログラム及び検知データ（例えば過去の検知データ）を消去する。パスワードを受信したとしても（ＳＴ２２、ＹＥＳ）、正しくないパスワードの場合にも（ＳＴ２４、ＮＯ）、記憶部２２に記憶されている検知処理プログラム及び検知データを消去する。
【００１９】
これにより、例えば検知処理部２０とセンサ部２４で構成される検知処理ユニットが不正に持ち出されても（盗難）、この検知処理ユニットには所定時間以内に正当なパスワードが送信されてこないので、検知処理ユニットの検知処理部２０の記憶部２２に記憶されている重要なデータ、即ち検知処理プログラム及び検知データは消去されることになる。よって、不正に持ち出した検知処理ユニットの不正使用及び不正に持ち出した検知処理ユニット（検知処理プログラム及び検知データ）に基づく検知技術の漏洩を防止することができる。即ち、使用類検知処理システムのセキュリティ向上を図ることができる。
【００２０】
図３は、この発明の第２の実施形態に係る紙葉類検知処理システムの概略構成を示す機能ブロック図である。第２の実施形態に係る紙葉類検知処理システムの基本構成は、図１で説明した第１の実施形態に係る紙葉類検知処理システムと同じであるが、各部で受け持つ処理が異なる。
【００２１】
例えば、第１の実施形態に係る紙葉類検知処理システムにおける検知処理部２０の記憶部２２が、不揮発性の記憶部であり、電力供給が断たれても記憶したデータを保持し続けるのに対して、第２の実施形態に係る紙葉類検知処理システムにおける検知処理部２０の記憶部２２は、揮発性の記憶部であり、電力供給が断たれると記憶したデータは消去される。また、第１の実施形態に係る紙葉類検知処理システムにおける検知処理部２０の記憶部２２が、予め検知処理プログラムを記憶しているのに対して、第２の実施形態に係る紙葉類検知処理システムにおける検知処理部２０の記憶部２２は、初期状態では検知処理プログラムは記憶していない。替わりに、第２の実施形態に係る紙葉類検知処理システムの中央演算装置１０の記憶部１２が予め検知処理プログラム（全ての検知処理ユニット分の検知処理プログラム）を記憶しており、システムの起動にあわせて、中央演算装置１０が各検知処理部２０に対して検知処理プログラムを送信し、各検知処理部２０はこの中央演算装置１０から送信されてきた検知プログラムを記憶部２２に記憶して、記憶部２２に記憶された検知処理プログラムに基づき検知処理を行なう。さらに、第１の実施形態に係る紙葉類検知処理システムにおける検知処理部２０の記憶部２２が検知データを記憶するのに対して、第２の実施形態に係る紙葉類検知処理システムでは検知処理部２０の記憶部は揮発性の記憶部であるため、最終的には中央演算装置１０の記憶部１２が検知データを記憶する。
【００２２】
次に、図４を参照して、図３に示す第２の実施形態に係る紙葉類検知処理システムによる検知動作開始時の制御について説明する。図４は、第２の実施形態に係る紙葉類検知処理システムによる検知動作開始時の制御を示すフローチャートである。
【００２３】
まず、電源部５０から中央演算装置１０の電力供給部１４に対して電力の供給が開始されると（ＳＴ３１）、電力供給部１４は検知処理部２０及びセンサ部２４など各部へ電力の供給を開始する（ＳＴ４１、ＹＥＳ）。続いて、電力供給を開始してから所定時間以内に、中央演算装置１０は、通信部１１を介して記憶部１２に記憶されている検出処理プログラムを送信する（ＳＴ３２）。中央演算装置１０から送信された検知処理プログラムは、データバス４２、共有メモリ３０を介して、検知処理部２０で受信される（ＳＴ４２、ＹＥＳ）。検知処理部２０（制御部２３）は、受信した検知処理プログラムを記憶部２２に記憶し（ＳＴ４４）、記憶された検知処理プログラムに基づく検知処理を開始する（ＳＴ４５）。
【００２４】
検知処理部２０（制御部２３）は、電力の供給を受けてから（ＳＴ４１、ＹＥＳ）、所定時間以内に検知処理プログラムを受信しないときには（ＳＴ４２、ＮＯ）タイムオーバーと判断し（ＳＴ４３、ＹＥＳ）、記憶部２２に記憶されている検知データ（例えば過去の検知データ）を消去する。
【００２５】
これにより、例えば検知処理部２０とセンサ部２４で構成される検知処理ユニットが不正に持ち出されても（盗難）、この検知処理ユニットには所定時間以内に検知処理に必要不可欠な検知処理プログラムが送信されてこないので、検知処理を実行することはできない。しかも、検知処理ユニットの検知処理部２０の記憶部２２に記憶されている重要なデータ、即ち検知データは消去されることになる。よって、不正に持ち出した検知処理ユニットの不正使用及び不正に持ち出した検知処理ユニット（検知処理プログラム及び検知データ）に基づく検知技術の漏洩を防止することができる。即ち、使用類検知処理システムのセキュリティ向上を図ることができる。
【００２６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２７】
【図１】この発明の第１の実施形態に係る紙葉類検知処理システムの概略構成を示す機能ブロック図である。
【図２】第１の実施形態に係る紙葉類検知処理システムによる検知動作開始時の制御を示すフローチャートである。
【図３】この発明の第２の実施形態に係る紙葉類検知処理システムの概略構成を示す機能ブロック図である。
【図４】第２の実施形態に係る紙葉類検知処理システムによる検知動作開始時の制御を示すフローチャートである。
【符号の説明】
【００２８】
１０…中央演算装置、１１…通信部、１２…記憶部、１３…演算部、１４…電力供給部、２０…複数の検知処理部、２１…通信部、２２…記憶部、２３…制御部、３０…共有メモリ、４１、４２…データバス、５０…電源部、５１…電力供給ライン、６０…搬送機構、７０…出力部
【図１】
0004630559.tif 000002
【図２】
0004630559.tif 000003
【図３】
0004630559.tif 000004
【図４】
0004630559.tif 000005